【事件の表示】
　特願２００６−５１５１８３「光治療装置及び光治療方法」拒絶査定不服審判事件〔平成１６年１２月２３日国際公開、ＷＯ２００４／１１０３０５、平成１９年９月１３日国内公表、特表２００７−５２６００３〕について、次のとおり審決する。
【結　論】
　本件審判の請求は、成り立たない。
【理　由】
１　手続の経緯
　本願は、平成１６年６月４日（パリ条約による優先権主張　平成１５年６月６日、及び、同年１０月２４日　いずれも米国）を国際出願日とする出願であって、平成２３年６月２２日付けで拒絶査定がなされた。本件は、同査定を不服として平成２３年１０月２７日に請求された拒絶査定不服審判事件であって、請求と同時に特許請求の範囲についての手続補正がなされた。
　その後、平成２４年１１月２１日付けで拒絶理由を通知したところ、平成２５年２月２６日付けで手続補正書及び意見書が提出された。
 　 
２　本願発明
　平成２５年２月２６日付け手続補正書による補正は、いわゆる新規事項を含まない適法な補正であるから、本願の請求項１ないし２６に係る発明は、前記補正後の特許請求の範囲の請求項１ないし２６に記載されたとおりの発明と認められるところ、その請求項１に係る発明（以下「本願発明」という。）は、以下のとおりのものである。
「治療光を対象者に照射して、日周期リズムの問題を治療する光治療装置であって、
（ａ）電源と、
（ｂ）前記電源によって駆動される複数の光源を有するハンドヘルド光出力装置と、
（ｃ）前記電源及び前記ハンドヘルド光出力装置に接続されたインバータと、
（ｄ）前記インバータを制御するとともに、該インバータと通信するプロセッサと、
（ｅ）前記プロセッサに接続された表示装置と、
（ｆ）前記プロセッサに接続されたデータ入力装置と、を備え、
　前記対象者の状態及び旅行を示す入力データが前記プロセッサに入力され、
　　前記対象者の状態を示す入力データは、前記対象者の標準の睡眠ルーチンデータと、前記対象者が睡眠後退又は睡眠前進かを示すデータとを含み、
　　前記旅行を示す入力データは、旅行中に移動するタイムゾーンと、旅行の方角が東回り又は西回りかを示すデータと、を含み、
　前記プロセッサは、
　　前記対象者の標準の睡眠ルーチンデータから中心体温が最低になる時間を計算し、
　　前記旅行の方角が東回りの場合、前記中心体温が最低になる時間よりも後に前記対象者の眼に前記治療光が照射され、該旅行の方角が西回りの場合、前記中心体温が最低になる時間よりも前に前記対象者の眼に前記治療光が照射されるようにタイミング及び／又は時間を計算し、
　　前記対象者が睡眠後退か睡眠前進かに応じて、前記タイミング及び／又は時間を修正して、前記対象者に照射する治療光を示す出力データを計算する、
　ことを特徴とする光治療装置。」
　
３　引用例
　上記本願発明について、平成２４年１１月２１日付けで通知した拒絶理由において提示した、本願優先日前に日本国内において頒布された刊行物である引用文献、及び、その記載事項は以下のとおりである。
（１）特開平８―１５０２１０号公報（以下「引用例１」という。） 
（１ａ）「【請求項５】　光源を備えた低輝度高照度光発生部と、光源を点灯させる点灯回路と、上記低輝度高照度光発生部を納めるとともに低輝度高照度光発生部からの光を外部に出す筐体と、該筐体に設けられて低輝度高照度光発生部から出る光を筐体外部に出力する開口面とからなることを特徴とする光治療用高照度光照射装置。
 …（中略）… 
【請求項１６】　目の負担を減らす負担軽減手段を備えていることを特徴とする請求項５記載の光治療用高照度光照射装置。
 …（中略）… 
【請求項１９】　光源がインバータ高周波点灯するものであることを特徴とする請求項１６記載の光治療用高照度光照射装置。
 …（中略）… 
【請求項２３】　点灯回路は複数設けられた光源の各点灯タイミングを制御する遅延時間制御タイマーを備えていることを特徴とする請求項５記載の光治療用高照度光照射装置。
【請求項２４】　点灯回路は光源点灯時間を制御する制御部を備えていることを特徴とする請求項５記載の光治療用高照度光照射装置。
【請求項２５】　点灯回路は光源を点灯させる時間帯を制御する２４時間タイマーを備えていることを特徴とする請求項２４記載の光治療用高照度光照射装置。」
（１ｂ）「【０００１】
【発明の属する技術分野】本発明は生体リズム（体内時計）異常に対する光治療法（高照度光療法）のための光治療用高照度光照射装置に関するものである。
【０００２】
【従来の技術】季節性感情障害や内因性鬱病、睡眠覚醒リズム障害、地方性睡眠覚醒障害等の病的な生体リズム異常や、時差ぼけや交替勤務に伴う疲労に対する療法として、高照度光を数時間照射する高照度光療法が知られている。」
（１ｃ）「【００２１】
【発明の実施の形態】本発明の実施の形態について説明すると、図５及び図６はほぼ鉛直な発光面Ｅから光が前方に出力されるようにした照射装置の一例を示しており、金属あるいは耐熱プラスチック等によってその前面が開口面となった箱型に形成されている筐体１は、その上面に把手６６が、下面にスタンド６が取着されており、その内部には複数個の光源２０を上下に並べることで形成した高照度光発生部２と、点灯回路３とが納められており、更に一側面の上下には夫々排気ファン４０，４０が、他側面の上下には図７(a)に示すように、夫々吸気孔４１，４１が設けられている。…（中略）…
【００２２】上記光源２０として、ここではＵ字形に折り曲げられた蛍光ランプ、あるいは２本の管端同士がブリッジで接続されたＨ字形の蛍光ランプを使用している。図中２１はランプソケット、２２は高照度光発生部２の背方側に配した反射板である。そして、筐体１の前面の開口面には光拡散部材として光拡散半透明カバー５、ここでは光透過率が５０〜７０％の乳白色アクリル板を配してある。表面にマット状加工を施してあるものは、利用者にとって、より柔らかくて見やすい光とすることができる。光拡散半透明カバー５の材質としては、このほか磨ガラス、半透明プラスチック、透明アクリル板に和紙などの半透明シートを貼り付けたものなどを使用することができる。光拡散半透明カバー５は筐体１に対して着脱自在としておくことが好ましい。」
（１ｄ）「【００２７】筐体１の薄型化という点については、図１３に示すように、裏面にシート状反射板２２が配された導光板２４の端面に光源２０を相対させるとともに、導光板２４の表面に拡散板２５を配したものを好適に用いることができる。端面から入射する光源２０からの光を導光板２４によってその表面全面に導くものであって、発光面Ｅとなる上記表面には光源２０から発する光が無駄なく一様に拡散するために、明るいが眩しくなくて柔らかいという印象が得られる光を得られるものである。輝度分布の一様化の点でも有効である。
【００２８】もっとも多数の光源２０を使用したものに比してランプ光束が少ないために同一距離では照度が低くなる。しかし発光面Ｅから出る光が眩しくなくて見やすいために、発光面Ｅから利用者の目までの距離が短くても利用者の目の負担は小さいことから、このタイプのものは発光面Ｅを近距離に置いて使用する形態の場合に特に適している。たとえば図１４は折り畳み自在なノートパソコン型の形状とした場合を、図１５〜図１７は図１８に示すように、机上に置いて使用する形状とした場合を示している。机上に置いて使用する場合、発光面Ｅ上で種々の作業、例えば食事、麻雀やトランプのような遊戯、読書、透明シートへの塗り絵などの作業を行うことで、発光面Ｅを注視するというようなことをしなくても、自然と光刺激が利用者の目に達することになる。…（以下略）」
（１ｅ）「【００３７】光源２０としては、上記したタイプのもののほか、ＥＬパネルや蛍光体を面状に配置した面光源タイプのものを用いてもよい。この場合、薄型化の点で有利なほか、点灯回路３の配置などもシンプルとなる。次に点灯回路３について好ましい例をあげる。図３４は図５及び図６に示した照射装置に対応する点灯回路３の一例を示しており、各光源２０のための安定器やインバータからなる複数個の点灯回路部３１と、これら点灯回路部３１への商用電源の供給を制御する２４時間タイマー３２とから構成されている。各点灯回路部３１は対応する光源２０の背方に配設し、２４時間タイマー３２は筐体１の一側面に埋め込む形で配設して、２４時間タイマー３２における通電時間帯の設定の変更を筐体１の側面のカバー１５を外すことで行えるようにしてある。図３４中の３３はタイマー出力接点である。図３５(a)に示すように、筐体１の外面に２４時間タイマー３２を配したり、あるいは図３５(b)に示すように、筐体１に引き込まれる電源コード３９の途中に２４時間タイマー３２を配したものであってもよい。図示していないが、手動による点灯消灯と、２４時間タイマー３２による点灯消灯とを切り替えることができるようにしておいてもよい。
【００３８】この高照度光照射装置においては、２４時間タイマー３２で設定された時間帯になれば、点灯回路部３１に商用電源が供給されて各光源２０が点灯し、高照度光発生部２が高照度の光を出すものであり、この光は光拡散半透明カバー５を通じて外部に出力される。また設定時刻になれば消灯がなされる。毎日定時に一定時間だけ自動点灯させることができる。…（中略）…
【００４２】上記各タイマー３２，３４に代えて、図３９に示すようにマイクロコンピュータなどで構成された多機能な制御回路３８ａとその出力で作動するスイッチング素子からなるパワー制御部３８ｂとによって構成された制御回路３８を通じて点灯回路３の制御を行うようにしてもよい。２４時間周期の光刺激はもとより、睡眠相遅延症候群や時差ぼけなどへの対処、つまり点灯時間を１日ごとに少しずつずらしていく（早くしていく）といったことにも容易に応ずることができる。」
（１ｆ）【図５】
 　 
 （１ｇ）【図１３】　　　　　　　　　【図１４】
 　 
　
　上記記載事項から、引用例１には以下の発明（以下「引用発明」という。）が記載されているといえる。 
「病的な生体リズム異常、睡眠相遅延症候群、及び、時差ぼけや、交替勤務に伴う疲労に対する光治療法のための、利用者の目に刺激を与える、筐体の薄型化を図った光治療用高照度光照射装置であって、
　裏面にシート状反射板が配された導光板の端面に、商用電源が供給されて点灯する光源を相対させて配置して、前記端面から入射する各光源からの光を前記導光板によって発光面となる表面全面に導いて、折り畳み自在なノートパソコン型の形状とし、
　前記各光源の背方には、各光源を点灯するための高周波インバータと、各光源の点灯時間を手動もしくは２４時間タイマーによって設定して制御するタイマー、あるいは、マイクロコンピュータなどで構成された多機能な制御回路からなる制御部を備えた各点灯回路部が配設された、
　光治療用高照度光照射装置。」
　
（２）特開平９―２１３１０１号公報（以下「引用例２」という。）
（２ａ）「【請求項１】　身体に装着して光源からの光を眼球付近に照射するための携帯用光照射装置であり、光源の点灯消灯を制御するための光源制御部と、光源からの光の射出部を面状で且つ面内での輝度分布差が小さい光射出面としている照射部と、該照射部を眼球付近に装着固定するための光面固定部とを備えて成ることを特徴とする携帯用光照射装置。」
（２ｂ）「【０００１】
【発明の属する技術分野】本発明は、生体リズムの調整や覚醒レベルの上昇のために眼球へ光刺激を与えるのに用いる携帯用光照射装置に関するものである。
【０００２】
【従来の技術】生体リズム（体内時計）の異常や睡眠覚醒リズムの異常などに対処する療法として高照度光を数時間照射する高照度光療法が知られている。この高照度光療法は、季節性感情障害、内因性鬱病、睡眠覚醒リズム障害、痴呆患者に多く見られる異常行動を伴う生体リズム障害といった病的異常のほか、時差ぼけや交替勤務に伴う疲労などの非病的異常にも有効である。
【０００３】ここにおいて、高照度光療法は人工的光源としては高い照度の光刺激を上記リズムの異常に応じたタイミングで被治療者の眼に与えることで行うものであり、この時に用いる光照射装置としては必要とする照度が高いことから、大型のものが多い。しかし病的異常でも軽度で日常生活が可能なもの、たとえば軽症の季節性感情障害や睡眠覚醒リズム障害などや非病的異常に対しては、光照射装置の前で過ごさなくてはならないために日常生活ができなくなるよりも、特表平３−５０１９３６号公報などにも示されているような眼球付近を明るく照射する携帯可能な光照射装置を用いて、該装置を身体に装着することで日常生活を営みながら光治療を受けることができるようにしておくのが好ましい。」
（２ｃ）「【００１７】
【発明の実施の形態】図１に本発明の実施形態の一例を示す。これは人体頭部に装着されるサンバイザーのひさし１０部分の下面に、光源からの光の射出部を面状で且つ面内での輝度分布差が小さい光射出面２０としている照射部２を配することで、照射部２を眼球付近に装着固定するための光面固定部１としてサンバイザーを用いたもので、光源点灯回路３１と充電可能な電池３２とメインスイッチ３３及びタイマー回路３４等を備えて上記照射部２における光源４の点灯消灯を制御する光源制御部３は、上記照射部２及び光面固定部から分離されるとともに照射部２に接続コード３０によって接続されたものとなっている。」
（２ｄ）「【００２５】光源制御部３におけるタイマー回路３４は、光源４の連続点灯時間を制限するだけのもの、つまりメインスイッチ３３の投入で点灯した光源４を設定時間後に消灯させるだけのものであってもよいが、生体リズム調整を目的とした光照射における照射タイミングの重要性からすれば、設定した時刻に光源４を点灯させるとともに設定した時刻に消灯させるものであることが好ましい。更には、点灯時刻の設定及び消灯時刻の設定が、時差ぼけ対策のように複雑な光照射タイミングを自動算出する演算回路３６の出力結果によって自動的になされるようになっているものが好ましい。すなわち、光源制御部３に利用目的に応じた光照射タイミング、例えば時差ぼけ対策のように複雑な光照射タイミングを自動的に算出する演算回路３６を設けておき、例えば時差ぼけ解消が目的であれば、目的地と出発時刻を入力すればいつ光照射をすればよいか計算して必要な時刻になれば自動的に光照射がなされるようにしておくことで、生体リズムについての専門的知識のない使用者でも生体リズム調整を有効に行えることになる。
【００２６】光源制御部３の点灯回路３１に調光回路３５を付加しておくことも好ましい。この調光回路３５としては、手動による調光レベルの変更のほか、点灯時に光源４の明るさを徐々に増加させたり、消灯にあたって徐々に光源４の明るさを減じた後に消灯させる自動調光機能を備えたものを好適に用いることができる。個人差に応じた明るさに設定することができる上に、光源４がいきなり全点灯する場合に比べて眼の負担を軽減することができる。」
（２ｅ）「【００５１】また光源制御部が光源の点灯についての時間的制御機能を備えていると、点灯持続時間の制御機能、あるいは点灯開始時刻及び終了時刻の制御機能を持たせることができるために、光治療にあたって重要な照射タイミングの管理が簡単となり、確実な光治療を受けやすくなる。」
　
　これらの記載からして、引用例２には以下の発明が記載されているといえる。
「光源からの光を眼球付近に照射して、生体リズム、睡眠覚醒リズムの異常や時差ぼけを解消するための携帯用光照射装置において、目的地と出発時刻等を入力することにより、光源制御部に設けられた演算回路において光源の点灯及び消灯時刻を計算し、自動的に光照射を行う装置。」（以下「引用例２記載の発明」という。）
　 
３　本願発明と引用発明の対比
（１）引用発明の「病的な生体リズム異常、睡眠相遅延症候群、及び、時差ぼけに対する光治療法のための」、「光治療用高照度光照射装置」が、本願発明の「治療光を対象者に照射して、日周期リズムの問題を治療する光治療装置」に相当することは明らかである。
　
（２）引用発明の「筐体の薄型化を図った光治療用高照度光照射装置であって、」「裏面にシート状反射板が配された導光板の端面に、商用電源が供給されて点灯する光源を相対させて配置して、前記端面から入射する各光源からの光を前記導光板によって発光面となる表面全面に導いて、折り畳み自在なノートパソコン型の形状とし」という事項からして、引用発明が「電源によって駆動される複数の光源を有する」ことは明らかである。また、本願発明の「ハンドヘルド装置」が、ウェアラブル装置でない携帯型装置を意味する（本願明細書の【００１４】参照）ことを勘案すると、引用発明の「筐体の薄型化を図った」「折り畳み自在なノートパソコン型の形状」の「光治療用高照度光照射装置」という事項は、本願発明の「ハンドヘルド光出力装置」に相当するといえる。
　
（３）引用発明の「前記各光源の背方には、各光源を点灯するための高周波インバータと、各光源の点灯時間を手動もしくは２４時間タイマーによって設定して制御するタイマー、あるいは、マイクロコンピュータなどで構成された多機能な制御回路からなる制御部を備えた各点灯回路部が配設された」という事項について検討すると、当該事項の「各光源を点灯するための高周波インバータ」が、本願発明の「光出力装置に接続されたインバータ」に相当することは明らかである。そして、引用発明の「マイクロコンピュータなどで構成された多機能な制御回路からなる制御部を備えた各点灯回路部」が、引用発明の高周波インバータを制御することは明らかであるといえるし、当該制御を行うためにマイクロコンピュータが前記高周波インバータと制御信号のやりとりをすることも明らかであるといえる。そうすると、引用発明の前記事項からして、本願発明と引用発明は「インバータを制御するとともに、該インバータと通信するプロセッサ」を具備する点で一致しているといえる。
　
（４）引用発明の点灯回路部に関する「各光源の点灯時間を手動もしくは２４時間タイマーによって設定して制御するタイマー、あるいは、マイクロコンピュータなどで構成された多機能な制御回路からなる制御部を備えた」という事項について検討すると、各光源の点灯時間を「マイクロコンピュータなどで構成された多機能な制御回路からなる制御部」を用いて制御する場合であっても、各光源の点灯時間等を制御するため、点灯制御の主体となるマイクロコンピュータに何らかの設定を行う手段を設ける必要があることは明らかであるといえるから、本願発明と引用発明は、「光照射の設定を行う手段」を具備している点で共通している。
　
（５）そうすると、本願発明と引用発明は、
「治療光を対象者に照射して、日周期リズムの問題を治療する光治療装置であって、
　電源によって駆動される複数の光源を有するハンドヘルド光出力装置と、
　前記電源及び前記ハンドヘルド光出力装置に接続されたインバータと、
　前記インバータを制御するとともに、該インバータと通信するプロセッサと、
　前記プロセッサに接続された、光照射の設定を行う手段を備える、
　光治療装置。」である点で一致し、以下の点で相違する。
〈相違点１〉 
　本願発明は、装置自体が「電源」を備えているのに対し、引用発明は、商用電源を用いることからして、装置自体が電源を備えているものではない点。
〈相違点２〉 
　本願発明は、光照射の設定を行ために、プロセッサに接続された「表示装置」と「データ入力装置」を備え、プロセッサに入力される入力データが、
「前記対象者の標準の睡眠ルーチンデータと、前記対象者が睡眠後退又は睡眠前進かを示すデータ」を含む「前記対象者の状態を示すデータ」、及び、
「旅行中に移動するタイムゾーンと、旅行の方角が東回り又は西回りかを示すデータ」を含む「前記対象者の旅行を示すデータ」であるとともに、プロセッサは、
「前記対象者の標準の睡眠ルーチンデータから中心体温が最低になる時間を計算し、
　　前記旅行の方角が東回りの場合、前記中心体温が最低になる時間よりも後に前記対象者の眼に前記治療光が照射され、該旅行の方角が西回りの場合、前記中心体温が最低になる時間よりも前に前記対象者の眼に前記治療光が照射されるようにタイミング及び／又は時間を計算し、
　前記対象者が睡眠後退か睡眠前進かに応じて、前記タイミング及び／又は時間を修正」するものであるのに対し、引用発明は、光照射の設定を行う手段が具体的に明らかでないとともに、光照射の設定を行うためにどのようなデータを用いるのか、また、「２４時間タイマーによって設定して制御するタイマー、あるいは、マイクロコンピュータなどで構成された多機能な制御回路からなる制御部プロセッサ」が、どのような機能を具備したものであるかについて開示がない点。
　
４　相違点についての検討と判断
　上記各相違点について検討する。
（１）相違点１について
　引用例１に記載されている「ノートパソコン」は、「デスクトップパソコン」と対峙されるパソコンであって、一般に、後者は据え置かれて商用電源を用いて駆動されるパソコンであるのに対し、前者は持ち運び可能で電源を内蔵するパソコンとして観念されることは、一般常識的事項である。
　そうであるならば、「病的な生体リズム異常、睡眠相遅延症候群、及び、時差ぼけに対する光治療法のための、筐体の薄型化を図った」「折り畳み自在なノートパソコン型の形状」とされた「光治療用高照度光照射装置」という引用発明に接した当業者であれば、当該装置に電源を内蔵せしめて、商用電源の有無にかかわらず使用可能にしようとする程度のことは、何らの困難なく想到し得る事項にすぎない。
　してみると、引用発明の装置自体が電源を備えるよう構成することは、当業者が適宜なし得る事項である。
　
（２）相違点２について
ア　上記２で述べたとおり、引用例２には、「光源からの光を眼球付近に照射して、生体リズム、睡眠覚醒リズムの異常や時差ぼけを解消するための携帯用光照射装置において、目的地と出発時刻等を入力することにより、光源制御部に設けられた演算回路において光源の点灯及び消灯時刻を計算し、自動的に光照射を行う装置。」に係る発明が記載されており、そのような装置が、目的地と出発時刻等を入力するための入力手段を具備することは、直接の記載を待つまでもなく当然の事項であるし、その入力内容や演算結果を利用者に知覚せしめるため、表示手段を併せ具備せしめることも常套手段にすぎない。
　してみると、引用発明に引用例２記載の発明を適用し、光照射の設定を行ために、プロセッサに接続された「表示装置」と「データ入力装置」を具備せしめることは、当業者が容易に想到し得る事項である。
イ　ところで、例えば、特開平７−３１８６７０号公報（以下「周知例」という。）に、
「【０００３】
【発明が解決しようとする課題】ところで、人体には生体リズムがあることは良く知られているところであり、肉体活動及び精神活動は、各種ある生体リズムの中でも、約２４〜２５時間周期のサーカディアンリズムと称されているリズムの影響を大きく受けるものとなっている。このサーカディアンリズムは深部体温やホルモン分泌等によってその様子を観測することができ、例えば直腸温は睡眠時に低いレベルを、活動期に高いレベルを示す。そしてサーカディアンリズムが生活のサイクルと同調しているならば、就寝者の目覚めがよく、同調していない時には目覚めが悪い。従って、目覚めの良さを本質的に改善するには、起きたい時刻に身体の状態が活動期へと向かうように、つまり生体リズムが生活サイクルに同調するように生体リズムを調整すればよいわけであり、この時、生体リズム調整に光刺激が有効であることは、特開平５−３９２０号公報や米国特許第４８５８６０９号明細書等の生体リズム調整装置において示されている。」
「【００３６】高照度光禁止時間帯の推定には、生活サイクル（生活時間パターン）を基にしてもよい。たとえば図１３に示すように、使用者が昨日や一昨日の起床時刻や主な活動時間帯などを生活時間帯入力手段６１に入力すれば、このデータを基に生体リズム推定部６２が睡眠覚醒サイクルのようなおおまかな生体リズムの推定を行い、この生体リズムから禁止時間帯推定部Ｅが体温が最低となる時刻及びこの体温最低時刻が現れる時間帯を推定して高照度光禁止時間帯を決定する。」
と記載されているとおり、人体の生体リズムは深部体温によって観測され得るものであって、その体温が最低となる時間帯は、生活時間パターンから算出できることは、当業者に周知の事項である。
　さらに、上記周知例に、
「【００３９】……時差ぼけは、ジェット機等による高速移動での移動先の環境サイクル及び生活サイクルが移動前に比して大きく変化するのに対して、利用者の生体リズムは移動前の生活サイクルに応じたものとなっている状態から生じるずれが原因と考えられており、また、時差ぼけの解消には通常１週間前後を要すると言われている。……
【００４０】図１６はこの点に対処したもので、時差設定入力手段８０によって時差発生前の現在時刻を入力すれば、時差計算手段８１が（時差発生後の）現在時刻との比較で時差を計算し、体温最低点推定手段８２が現在時刻を基準に時差発生前の体温最低時刻を推定する。この推定にあたっては、長距離高速移動前の生体リズムが環境のリズムの位相と一致していたと仮定して、たとえば午前３時頃を中心に前後１〜２時間程度の幅を持たせて推定するのが良い。……
【００４２】時差入力手段による時差の入力は、移動前の時刻と移動先での時刻との時差の値を直接入力するようにしてもよい。時差の直接入力の際には、±数時間という形態で入力する。生体リズムと移動先での生活サイクルとのずれは西から東に向かって移動した時と、東から西に向かって移動した時とで異なるが、この点に対処できるようにするためである。」、
と記載されているとおり、生体リズムに基づいた光を照射して時差ぼけを解消する際には、西から東に向かって移動した時と、東から西に向かって移動した時で異なる対応を要することも、当業者に周知の事項である。
ウ　そうすると、「時差ぼけに対する」光治療を行う装置に係る引用発明を用いて光治療を行うには、上記イで述べた生活時間パターンを知るとともに、時差ぼけを生じせしめる移動の方向を知る必要があることは、当業者に明らかであるといえる。
エ　してみると、それら生活時間パターン、及び、移動の目的地及び方向に係るデータを入力し、その入力データに基づいて光治療を行うよう構成することは当業者が容易になし得る事項であるといえる。加えて、上記イで述べたとおり、人体の深部体温が最低となる時間帯は、生活時間パターンから算出できることが当業者に周知の事項であることに照らせば、
（ア）治療を必要とする対象者の生活時間パターン、すなわち「対象者の標準の睡眠ルーチンデータ」に係る「対象者の状態を示すデータ」を入力データとして、「中心温度が最低になる時間を計算」するとともに、
（イ）移動の目的地及び方向に係るデータ、すなわち「旅行中に移動するタイムゾーンと、旅行の方向が東回り又は西回りかを示すデータ」に係る「対象者の旅行を示すデータ」を入力データとして、上記（ア）で計算された「中心温度が最低になる時間」に基づいて、旅行の方向が東回り又は西回りかに応じて「治療光が照射されるタイミングを計算する」よう構成することは当業者が適宜なし得る事項である。
オ　また、引用発明は、「時差ぼけ」のみならず、「病的な生体リズム異常、睡眠相遅延症候群」も併せて治療するための装置であるところ、上記（イ）のように構成した場合、対象者が病的な生体リズム異常、睡眠相遅延症候群であった場合、その病的な生体リズム異常、睡眠相遅延が維持されることになるし、引用発明を用いることにより、睡眠相遅延のみならず、睡眠相前進に対する光治療も行い得ることは当業者に明らかであるといえるから、上述の「対象者の状態を示すデータ」に「対象者が睡眠後退又は睡眠前進かを示すデータ」を含ませるとともに、そのデータに応じて、「治療光が照射されるタイミングを修正する」ならば、病的な生体リズム異常、睡眠相遅延や前進の治療を併せて行い得ることは明らかである。したがって、「対象者が睡眠後退又は睡眠前進かを示すデータ」を「対象者の状態を示すデータ」に加え、「対象者が睡眠後退か睡眠前進かに応じて、前記タイミング及び／又は時間を修正」するように構成することも、当業者が適宜なし得る事項であるといえる。
カ　以上検討のとおりであるから、相違点２に係る事項は、引用例２記載の発明、及び、当業者に周知の事項に基いて、当業者が容易に得ることができる事項である。
　 
（３）小括
　したがって、本願発明は、引用発明、引用例２記載の発明、及び、当業者に周知の事項に基いて当業者が容易に発明をすることができたものである。
　
５　むすび
　以上のとおり、本願発明は、引用発明、引用例２記載の発明、及び、当業者に周知の事項に基いて当業者が容易に発明をすることができたものであり、特許法第２９条第２項の規定により特許を受けることができない。
　したがって、その余の請求項に係る発明について検討するまでもなく、本願は拒絶すべきものである。
　よって、結論のとおり審決する。